(57)【要約】【課題】  ブレた画像は見苦しいにもかかわらず、通常の良好な画像と同時に、記録媒体の一定量を占有し、記録容量を無駄に消費している。本発明では、このような不都合を解消する事を目的とする。【解決手段】  撮像画像の振れ量を検出する手段を設け、その振れ量に応じて記録画像の圧縮率を高める事で、振れの発生した画像による記録容量の無駄な消費を減らす。上記手段により、例えば、撮影画像の振れ量が検出された時には、低画質に応じて少ない出力情報量で撮影画像を出力する。これにより画質に応じた情報量の画像信号が得られるので、記録媒体に記録する場合でも、記録媒体を無駄に占有するのを防げる。【選択図】  図１
2006229838.tif 000002
【特許請求の範囲】
【請求項１】
カメラの振れ量を検出する振れ量検出手段と、記録画像の情報量を変更する情報量変更手段とを有し、上記振れ量検出手段により検出された振れ量に応じて、上記情報量変更手段により記録画像の情報量を変更する事を特徴とするデジタルカメラ。
【請求項２】
上記振れ量検出手段により検出された振れ量が所定値以上の場合には、上記情報量変更手段により記録画像の情報量を少なくし、所定値以下の場合には情報量を多くする事を特徴とする請求項１記載のデジタルカメラ。
【請求項３】
上記振れ量検出手段の振れの検出は画像のボケ具合を検出して行う事を特徴とする請求項２記載のデジタルカメラ。
【請求項４】
上記振れ量検出手段の振れの検出はジャイロで行う事を特徴とする請求項２記載のデジタルカメラ。
【請求項５】
上記情報量変更手段の記録画像の情報量の変更は画像の圧縮率を変える事によって行う事を特徴とする請求項２記載のデジタルカメラ。
【請求項６】
上記情報量変更手段の記録画像の情報量の変更は画像のサイズを変える事によって行う事を特徴とする請求項２記載のデジタルカメラ。
【請求項７】
上記所定値は画像の振れが見苦しいか、そうでないかの境界値である事を特徴とする請求項２記載のデジタルカメラ。
【請求項８】
カメラの振れ量を検出する振れ量検出手段と、振れ量を補正する振れ量補正手段と、記録画像の情報量を変更する情報量変更手段とを有し、上記振れ量検出手段により検出された振れ量が上記振れ量補正手段の補正量に比して大きい場合には、上記情報量変更手段により記録画像の情報量を少なくし、小さい場合には情報量を多くする事を特徴とするデジタルカメラ。
【請求項９】
上記振れ量検出手段の振れの検出は画像のボケ具合を検出して行う事を特徴とする請求項８記載のデジタルカメラ。
【請求項１０】
上記振れ量検出手段の振れの検出はジャイロで行う事を特徴とする請求項８記載のデジタルカメラ。
【請求項１１】
上記振れ量補正手段の振れの補正は光学部材を振れが減少する様に動作させる事によって行う事を特徴とする請求項８記載のデジタルカメラ。
【請求項１２】
上記情報量変更手段の記録画像の情報量の変更は画像のサイズを変える事によって行う事を特徴とする請求項８記載のデジタルカメラ。
【請求項１３】
カメラの振れ量を検出する振れ量検出手段と、振れ量を補正する振れ量補正手段と、記録画像の情報量を設定する情報量設定手段を有し、上記情報量設定手段により設定された記録画像の情報量に応じて、上記振れ量補正手段の補正量を変更する事を特徴とするデジタルカメラ。
【請求項１４】
上記振れ量検出手段の振れの検出は画像のボケ具合を検出して行う事を特徴とする請求項１３記載のデジタルカメラ。
【請求項１５】
上記振れ量検出手段の振れの検出はジャイロで行う事を特徴とする請求項１３記載のデジタルカメラ。
【請求項１６】
上記振れ量補正手段の振れの補正は光学部材を振れが減少する様に動作させる事によって行う事を特徴とする請求項１３記載のデジタルカメラ。
【請求項１７】
上記情報量設定手段の設定では記録画像の圧縮率の設定行う事を特徴とする請求項１３記載のデジタルカメラ。
【請求項１８】
上記情報量設定手段の設定では記録画像のサイズの設定行う事を特徴とする請求項１３記載のデジタルカメラ。
【請求項１９】
カメラの振れ量を検出する振れ量検出手段と、記録画像の情報量を変更する情報量変更手段とを有し、上記振れ量検出手段により検出された振れ量に応じて、上記情報量変更手段により記録画像の情報量を変更する事を特徴とする撮影方法。
【請求項２０】
上記振れ量検出手段により検出された振れ量が所定値以上の場合には、上記情報量変更手段により記録画像の情報量を少なくし、所定値以下の場合には情報量を多くする事を特徴とする請求項１９記載の撮影方法。
【請求項２１】
上記振れ量検出手段の振れの検出は画像のボケ具合を検出して行う事を特徴とする請求項２０記載の撮影方法。
【請求項２２】
上記振れ量検出手段の振れの検出はジャイロで行う事を特徴とする請求項２０記載の撮影方法。
【請求項２３】
上記情報量変更手段の記録画像の情報量の変更は画像の圧縮率を変える事によって行う事を特徴とする請求項２０記載の撮影方法。
【請求項２４】
上記情報量変更手段の記録画像の情報量の変更は画像のサイズを変える事によって行う事を特徴とする請求項２０記載の撮影方法。
【請求項２５】
上記所定値は画像の振れが見苦しいか、そうでないかの境界値である事を特徴とする請求項２０記載の撮影方法。
【請求項２６】
カメラの振れ量を検出する振れ量検出手段と、振れ量を補正する振れ量補正手段と、記録画像の情報量を変更する情報量変更手段とを有し、上記振れ量検出手段により検出された振れ量が上記振れ量補正手段の補正量に比して大きい場合には、上記情報量変更手段により記録画像の情報量を少なくし、小さい場合には情報量を多くする事を特徴とする撮影方法。
【請求項２７】
上記振れ量検出手段の振れの検出は画像のボケ具合を検出して行う事を特徴とする請求項２６記載の撮影方法。
【請求項２８】
上記振れ量検出手段の振れの検出はジャイロで行う事を特徴とする請求項２６記載の撮影方法。
【請求項２９】
上記振れ量補正手段の振れの補正は光学部材を振れが減少する様に動作させる事によって行う事を特徴とする請求項２６記載の撮影方法。
【請求項３０】
上記情報量変更手段の記録画像の情報量の変更は画像のサイズを変える事によって行う事を特徴とする請求項２６記載の撮影方法。
【請求項３１】
カメラの振れ量を検出する振れ量検出手段と、振れ量を補正する振れ量補正手段と、記録画像の情報量を設定する情報量設定手段を有し、上記情報量設定手段により設定された記録画像の情報量に応じて、上記振れ量補正手段の補正量を変更する事を特徴とする撮影方法。
【請求項３２】
上記振れ量検出手段の振れの検出は画像のボケ具合を検出して行う事を特徴とする請求項３１記載の撮影方法。
【請求項３３】
上記振れ量検出手段の振れの検出はジャイロで行う事を特徴とする請求項３１記載の撮影方法。
【請求項３４】
上記振れ量補正手段の振れの補正は光学部材を振れが減少する様に動作させる事によって行う事を特徴とする請求項３１記載の撮影方法。
【請求項３５】
上記情報量設定手段の設定では記録画像の圧縮率の設定行う事を特徴とする請求項３１記載の撮影方法。
【請求項３６】
上記情報量設定手段の設定では記録画像のサイズの設定行う事を特徴とする請求項３１記載の撮影方法。
【請求項３７】
請求項１〜１８のいずれか１項に記載の各手段としてコンピュータを機能させるためのプログラムを格納したコンピュータ読み取り可能な記憶媒体。
【請求項３８】
請求項１９〜３６のいずれか１項に記載の各方法の処理手順をコンピュータに実行させるためのプログラムを格納したコンピュータ読み取り可能な記憶媒体。
【発明の詳細な説明】
【技術分野】
【０００１】
デジタルカメラ。
【背景技術】
【０００２】
光学像の拡大倍率が大きい場合や、シャッタースピードが遅い場合には手振れを起こしやすいため、そのような場合にも振れの無い鮮明な画像を撮影するために、様々な防振の技術が取り入れられている。
【０００３】
又、従来例としては、例えば特許文献１をあげることが出来る。
【特許文献１】特開２００１−３１３８６７号公報
【発明の開示】
【発明が解決しようとする課題】
【０００４】
しかしながら、上記防振技術も万能ではなく、どんな状況でも確実に振れの無い画像を得る事ができる訳ではなく、振れの発生した画像を撮影してしまう場合も発生していた。従来例では、このように画質の劣化した画像も、通常の良好な画質の画像と同様に、記録媒体に記録している。即ち、画質に関わらず、記録媒体の一定量を占有し、記録容量を無駄に消費している。本発明は、このような不都合を解消するデジタルカメラを提示する事を目的とする。
【課題を解決するための手段】
【０００５】
本発明のデジタルカメラは、カメラの振れ量を検出する振れ量検出手段と、記録画像の情報量を変更する情報量変更手段とを有し、上記振れ量検出手段により検出された振れ量に応じて、上記情報量変更手段により記録画像の情報量を変更する事を特徴とする。
【０００６】
また、本発明のデジタルカメラにおいて、上記振れ量検出手段により検出された振れ量が所定値以上の場合には、上記情報量変更手段により記録画像の情報量を少なくし、所定値以下の場合には情報量を多くする事を特徴とする。
【０００７】
また、本発明のデジタルカメラにおいて、上記振れ量検出手段の振れの検出は画像のボケ具合を検出して行う事を特徴とする。
【０００８】
また、本発明のデジタルカメラにおいて、上記振れ量検出手段の振れの検出はジャイロで行う事を特徴とする。
【０００９】
また、本発明のデジタルカメラにおいて、上記情報量変更手段の記録画像の情報量の変更は画像の圧縮率を変える事によって行う事を特徴とする。
【００１０】
また、本発明のデジタルカメラにおいて、上記情報量変更手段の記録画像の情報量の変更は画像のサイズを変える事によって行う事を特徴とする。
【００１１】
また、本発明のデジタルカメラにおいて、上記所定値は画像の振れが見苦しいか、そうでないかの境界値である事を特徴とする。
【００１２】
また、本発明のデジタルカメラにおいて、カメラの振れ量を検出する振れ量検出手段と、振れ量を補正する振れ量補正手段と、記録画像の情報量を変更する情報量変更手段とを有し、上記振れ量検出手段により検出された振れ量が上記振れ量補正手段の補正量に比して大きい場合には、上記情報量変更手段により記録画像の情報量を少なくし、小さい場合には情報量を多くする事を特徴とする。
【００１３】
また、本発明のデジタルカメラにおいて、上記振れ量検出手段の振れの検出は画像のボケ具合を検出して行う事を特徴とする。
【００１４】
また、本発明のデジタルカメラにおいて、上記振れ量検出手段の振れの検出はジャイロで行う事を特徴とする。
【００１５】
また、本発明のデジタルカメラにおいて、上記振れ量補正手段の振れの補正は光学部材を振れが減少する様に動作させる事によって行う事を特徴とする。
【００１６】
また、本発明のデジタルカメラにおいて、
上記情報量変更手段の記録画像の情報量の変更は画像のサイズを変える事によって行う事を特徴とする。
【００１７】
また、本発明のデジタルカメラにおいて、カメラの振れ量を検出する振れ量検出手段と、振れ量を補正する振れ量補正手段と、記録画像の情報量を設定する情報量設定手段を有し、上記情報量設定手段により設定された記録画像の情報量に応じて、上記振れ量補正手段の補正量を変更する事を特徴とする。
【００１８】
また、本発明のデジタルカメラにおいて、上記振れ量検出手段の振れの検出は画像のボケ具合を検出して行う事を特徴とする。
【００１９】
また、本発明のデジタルカメラにおいて、上記振れ量検出手段の振れの検出はジャイロで行う事を特徴とする。
【００２０】
また、本発明のデジタルカメラにおいて、上記振れ量補正手段の振れの補正は光学部材を振れが減少する様に動作させる事によって行う事特徴とする。
【００２１】
また、本発明のデジタルカメラにおいて、上記情報量設定手段の設定では記録画像の圧縮率の設定行う事を特徴とする。
【００２２】
また、本発明のデジタルカメラにおいて、上記情報量設定手段の設定では記録画像のサイズの設定行う事を特徴とする。
【００２３】
また、本発明のデジタルカメラの撮影方法は、カメラの振れ量を検出する振れ量検出手段と、記録画像の情報量を変更する情報量変更手段とを有し、上記振れ量検出手段により検出された振れ量に応じて、上記情報量変更手段により記録画像の情報量を変更するように制御する事を特徴とする。
【００２４】
また、本発明のデジタルカメラの撮影方法において、上記振れ量検出手段により検出された振れ量が所定値以上の場合には、上記情報量変更手段により記録画像の情報量を少なく制御し、所定値以下の場合には情報量を多くするように制御する事を特徴とする。
【００２５】
また、本発明のデジタルカメラにおいて、上記振れ量検出手段の振れの検出は画像のボケ具合を検出して行うように制御する事を特徴とする。
【００２６】
また、本発明のデジタルカメラにおいて、上記振れ量検出手段の振れの検出はジャイロで行うように制御する事を特徴とする。
【００２７】
また、本発明のデジタルカメラにおいて、上記情報量変更手段の記録画像の情報量の変更は画像の圧縮率を変える事によって行うように制御する事を特徴とする。
【００２８】
また、本発明のデジタルカメラにおいて、上記情報量変更手段の記録画像の情報量の変更は画像のサイズを変える事によって行うように制御する事を特徴とする。
【００２９】
また、本発明のデジタルカメラにおいて、上記所定値は画像の振れが見苦しいか、そうでないかの境界値であるように制御する事を特徴とする。
【００３０】
また、本発明のデジタルカメラにおいて、カメラの振れ量を検出する振れ量検出手段と、振れ量を補正する振れ量補正手段と、記録画像の情報量を変更する情報量変更手段とを有し、上記振れ量検出手段により検出された振れ量が上記振れ量補正手段の補正量に比して大きい場合には、上記情報量変更手段により記録画像の情報量を少なくし、小さい場合には情報量を多くするように制御するように制御する事を特徴とする。
【００３１】
また、本発明のデジタルカメラにおいて、上記振れ量検出手段の振れの検出は画像のボケ具合を検出して行うように制御する事を特徴とする。
【００３２】
また、本発明のデジタルカメラにおいて、上記振れ量検出手段の振れの検出はジャイロで行うように制御する事を特徴とする。
【００３３】
また、本発明のデジタルカメラにおいて、上記振れ量補正手段の振れの補正は光学部材を振れが減少する様に動作させる事によって行うように制御する事を特徴とする。
【００３４】
また、本発明のデジタルカメラにおいて、
上記情報量変更手段の記録画像の情報量の変更は画像のサイズを変える事によって行うように制御する事を特徴とする。
【００３５】
また、本発明のデジタルカメラにおいて、カメラの振れ量を検出する振れ量検出手段と、振れ量を補正する振れ量補正手段と、記録画像の情報量を設定する情報量設定手段を有し、上記情報量設定手段により設定された記録画像の情報量に応じて、上記振れ量補正手段の補正量を変更するように制御するように制御する事を特徴とする。
【００３６】
また、本発明のデジタルカメラにおいて、上記振れ量検出手段の振れの検出は画像のボケ具合を検出して行うように制御する事を特徴とする。
【００３７】
また、本発明のデジタルカメラにおいて、上記振れ量検出手段の振れの検出はジャイロで行うように制御する事を特徴とする。
【００３８】
また、本発明のデジタルカメラにおいて、上記振れ量補正手段の振れの補正は光学部材を振れが減少する様に動作させる事によって行う事特徴とする。
【００３９】
また、本発明のデジタルカメラにおいて、上記情報量設定手段の設定では記録画像の圧縮率の設定を行うように制御する事を特徴とする。
【００４０】
また、本発明のデジタルカメラにおいて、上記情報量設定手段の設定では記録画像のサイズの設定を行うように制御する事を特徴とする。
【００４１】
また、本発明の記憶媒体は、上記いずれかの各手段としてコンピュータを機能させるためのプログラムを格納したコンピュータ読み取り可能な記憶媒体である。
【００４２】
また、本発明の記憶媒体は、上記処理手順をコンピュータに実行させるためのプログラムを格納したコンピュータ読み取り可能な記憶媒体である。
【００４３】
本発明によれば、撮影画像が振れていて劣化しているような場合には、出力情報量を少なくして、記録媒体を有効活用する。
【００４４】
また、記録媒体に記録する情報量が少ない事があらかじめわかっている場合には、防振手段の動作量を減らす事で、エネルギーを節約する。
【発明の効果】
【００４５】
以上の説明から容易に理解できるように、本発明によれば、撮影画像が振れていて劣化しているような場合には、出力情報量を少なくすることができる。従って、記録媒体に記録する情報量が少なくなり、記録媒体を有効活用できる。
【００４６】
また、記録媒体に記録する情報量が少ない事があらかじめわかっている場合には、防振手段の動作量を減らすことで、エネルギーを節約する事が可能となる。
【発明を実施するための最良の形態】
【００４７】
（第１の実施例）
以下、図面を参照して本発明の実施例を説明する。
【００４８】
図１は、本発明の実施例の構成を示す図である。
【００４９】
図１において、１００は画像処理装置である。
【００５０】
１０は撮影レンズ、１２は絞り機能を備えるシャッター、１４は光学像を電気信号に変換する撮像素子で、システム制御回路５０の制御で感度を変更できるようになっている。１６は撮像素子１４のアナログ信号出力をディジタル信号に変換するＡ／Ｄ変換器である。
【００５１】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００５２】
２０は画像処理回路であり、Ａ／Ｄ変換器１６からのデータ或いはメモリ制御回路２２からのデータに対して所定の画素補間処理や色変換処理を行う。
【００５３】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００５４】
さらに、画像処理回路２０においては、撮像した画像データを用いて所定の演算処理を行い、得られた演算結果に基づいてＴＴＬ方式のＡＷＢ（オートホワイトバランス）処理も行っている。
【００５５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００５６】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００５７】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。
【００５８】
画像表示部２８を用いて撮像した画像データを逐次表示すれば、電子ファインダ機能を実現することが可能である。
【００５９】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００６０】
３０は撮影した静止画像や動画画像を格納するためのメモリであり、所定枚数の静止画像や所定時間の動画像を格納するのに十分な記憶量を備えている。
【００６１】
これにより、複数枚の静止画像を連続して撮影する連射撮影やパノラマ撮影の場合にも、高速かつ大量の画像書き込みをメモリ３０に対して行うことが可能となる。
【００６２】
また、メモリ３０はシステム制御回路５０の作業領域としても使用することが可能である。
【００６３】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００６４】
４０は絞り機能を備えるシャッター１２を制御する露光制御手段であり、フラッシュ４８と連携することによりフラッシュ調光機能も有するものである。
【００６５】
４２は撮影レンズ１０のフォーカシングを制御する測距制御手段、４４は撮影レンズ１０のズーミングを制御するズーム制御手段、４６は振れを補正する手段である光学防振手段１０２の動作を制御する防振制御手段である。防振制御手段には電力消費は大きいが追従特性の良い通常モードと、電力消費は少ないが追従特性がやや劣るエコノミーモードがある。
【００６６】
４８はフラッシュであり、ＡＦ補助光の投光機能、フラッシュ調光機能も有する。
【００６７】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００６８】
５０は画像処理装置１００全体を制御するシステム制御回路、５２はシステム制御回路５０の動作用の定数、変数、プログラム等を記憶するメモリである。
【００６９】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００７０】
また、表示部５４は、その一部の機能が光学ファインダ１０４内に設置されている。
【００７１】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００７２】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００７３】
５６は電気的に消去・記録可能な不揮発性メモリであり、例えばＥＥＰＲＯＭ等が用いられる。６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００７４】
ここで、これらの操作手段の具体的な説明を行う。
【００７５】
６０はモードダイアルスイッチで、電源オフ、自動撮影モード、撮影モード、パノラマ繋ぎ撮り撮影モード、再生モード、マルチ画面再生・消去モード、ＰＣ接続モード等の各機能モードを切り替え設定することが出来る。
【００７６】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００７７】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００７８】
６６は画像表示ＯＮ／ＯＦＦスイッチで、画像表示部２８のＯＮ／ＯＦＦを設定することが出来る。この機能により、光学ファインダ１０４を用いて撮影を行う際に、ＴＦＴ ＬＣＤ等から成る画像表示部への電流供給を遮断することにより、省電力を図ることが可能となる。
【００７９】
６８は画質モード設定手段で、記録画像の圧縮率やサイズ等、画質や記録容量にかかわる設定を行う。
【００８０】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００８１】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００８２】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００８３】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００８４】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００８５】
インタフェース及びコネクタとしては、ＰＣＭＣＩＡカードやＣＦ（コンパクトフラッシュ（登録商標））カード等の規格に準拠したものを用いて構成して構わない。
【００８６】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００８７】
１０２は、画像の振れを防止する光学防振手段であり、防振制御手段４６によって制御される。
【００８８】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００８９】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００９０】
１１２は通信手段１１０により画像処理装置１００を他の機器と接続するコネクタ或いは無線通信の場合はアンテナである。
【００９１】
２００はメモリカードやハードディスク等の記録媒体である。
【００９２】
記録媒体２００は、半導体メモリや磁気ディスク等から構成される記録部２０２、画像処理装置１００とのインタフェース２０４、画像処理装置１００と接続を行うコネクタ２０６を備えている。
【００９３】
２１０はメモリカードやハードディスク等の記録媒体である。
【００９４】
記録媒体２１０は、半導体メモリや磁気ディスク等から構成される記録部２１２、画像処理装置１００とのインタフェース２１４、画像処理装置１００と接続を行うコネクタ２１６を備えている。
【００９５】
図２を参照して、第１の実施例の動作を説明する。
【００９６】
図２は本実施例の画像処理装置１００の主ルーチンのフローチャートを示す。
【００９７】
図２を用いて、画像処理装置１００の動作を説明する。
【００９８】
システム制御回路５０は、Ｓ１０１において、６２のシャッタースイッチＳＷ１が押下された場合はＳ１０２に進み、そうでない場合はＳ１０１に戻る。
【００９９】
そして、Ｓ１０３において、６８の画質モード設定手段の設定が通常モードの場合にはＳ１０３に進み、高圧縮を行って記録容量の少ない画像を撮影するモードの場合にはＳ１０４に進み、小さい画像サイズを撮影する場合にはＳ１０５に進む。
【０１００】
そして、Ｓ１０３では４６に通常防振動作の設定を行い、Ｓ１０６に進む。
【０１０１】
そして、Ｓ１０４では４６にエコノミー防振動作の設定を行い、Ｓ１０６に進む。
【０１０２】
そして、Ｓ１０５では４６にエコノミー防振動作の設定を行い、Ｓ１０６に進む。
【０１０３】
そして、Ｓ１０６では撮影の準備を行い、フォーカスの評価値の最高値を５２のメモリに記憶しておきＳ１０７に進む。
【０１０４】
そして、Ｓ１０７において、６４のシャッタースイッチＳＷ２が押下された場合はＳ１０８に進み、そうでない場合はＳ１０１に戻る。
【０１０５】
そして、Ｓ１０８では通常撮影を行いＳ１０９に進む。
【０１０６】
そして、Ｓ１０９において、防振手段を有する場合にはＳ１１０へ進む、そうでない場合にはＳ１１１へ進む。
【０１０７】
そして、Ｓ１１０において、振れ量検出手段による振れ量が、４６で行う補正動作に対して小さい場合にはＳ１１２に進み、そうでない場合にはＳ１１３に進む。ここで、振れの検出は画像のボケ具合を検出して行う。つまり、Ｓ１０６で記憶しておいたフォーカスの評価値の最高値と、撮影画像のフォーカスの評価値を比較して振れ量を算出する。
【０１０８】
そして、Ｓ１１１において、振れ量検出手段による振れ量が、所定値以下の場合にはＳ１１２へ進み、そうでない場合にはＳ１１３へ進む。ここで、所定値以下の振れ量とは、撮影画像を通常の圧縮率で圧縮し、通常のサイズに処理した場合に、見苦しくなる振れ量より小さい振れ量の事である。
【０１０９】
そして、Ｓ１１２では通常圧縮率で圧縮を行い、及びまたは通常のサイズに処理して、Ｓ１１４に進む。
【０１１０】
そして、Ｓ１１３では通常より高い圧縮率で圧縮を行い、及びまたは通常より小さいサイズに処理してＳ１１４に進む。
【０１１１】
そして、Ｓ１１４では圧縮された画像を記録してＳ１０７に戻る。
【０１１２】
上記実施例では、画質モード設定の場合に、使用者の設定に応じて、画質モードを選択したが、撮影準備段階での測光値及び露光時間、並びに、撮影素子１４の温度及びノイズ量に応じて、画質モードを選択するようにしてもよい。
【０１１３】
静止画撮影の場合を例に説明したが、勿論、動画撮影の場合にも適用できることは明らかである。
【０１１４】
また上記実施例では、振れの検出は画像のボケ具合を検出して行うが、ジャイロなどを使用して振れの検出をした場合にも適用できることは明らかである。
【図面の簡単な説明】
【０１１５】
【図１】本発明の一実施例の構成ブロック図である。
【図２】本実施例の主ルーチンのフローチャートの一部である。
【符号の説明】
【０１１６】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  防振制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  画質モードスイッチ
７０  操作部
８０  電源制御手段
８２，８４，９２，９６，２０６，２１６  コネクタ
８６  電源手段
９０，９４，２０４，２１４  インタフェース
９８  記録媒体着脱検知手段
１００  画像処理装置
１０２  光学防振手段
１０４  光学ファインダ
１１０  通信手段
１１２  コネクタ（またはアンテナ）
２００，２１０  記録媒体
２０２，２１２  記録部
【図１】
2006229838.tif 000003
【図２】
2006229838.tif 000004